(57)【要約】【課題】  簡素で携帯性に優れ、単調になりがちな下肢の運動に遊戯的要素を付加することが可能であり、手軽で効果的な、下肢のマッサージもできる足置き台を提供する。【解決手段】  ２つ折り可能な両足を載せる適度な大きさの薄い板状のものの外側もしくは全体をすべりにくいカバーでくるみ、足を載せる面には歩数計、スマートフォン、タブレットPC、ゲーム用端末、足裏のツボを刺激する突起等を係止できる構造を配し、内側には空気袋もしくはタオルや衣類等を挟み、バンド、帯状の弾性体、面ファスナー、紐等により固定する。内側で挟むものを取り除くと薄くコンパクトな状態で固定できる。仰向けで寝て下肢を足置き台に乗せ足を上下することで下肢のマッサージができる構造にする。【選択図】図１
2015100491.tif 000002
【特許請求の範囲】
【請求項１】
２つ折り可能な両足を載せる適度な大きさの薄い板状のものの外側もしくは全体をすべりにくいカバーでくるみ、足を載せる面には歩数計、スマートフォン、携帯ゲーム機器、タブレットPC、ゲーム用端末、ツボを刺激する突起が備わったもの等を係止できる構造を有し、内側には空気袋もしくはクッションやタオル、衣類等を挟み厚みをもたせ挟み、バンド、帯状の弾性体、面ファスナー、紐等により固定可能であり、内側で挟むものを取り除くと薄くコンパクトになる足置き台。
【請求項２】
開閉ボード５の足を載せる面に少し厚みのある板状の弾性体を貼り付けた、請求項１記載の足置き台。
【請求項３】
フォースセンサー等が備わったゲーム用のボードの上に設置して対応するゲームを椅子に座った状態で利用しつつ下肢の運動が可能な請求項１または請求項２記載の足置き台。
【請求項４】
仰向けになり下肢を足置き台に載せ、足を揺らすことで血流及びリンパの流れを促進することが可能な請求項１または請求項２または請求項３記載の足置き台。
【発明の詳細な説明】
【技術分野】
【０００１】
本発明は、下肢の運動及び、歩数計、スマートフォン、携帯ゲーム機器、ゲーム用リモコン、ゲーム用バランスボード、タブレットPC等の利用が可能であり、下肢のケアもできる足置き台に関する。
【背景技術】
【０００２】
ふくらはぎは「第二の心臓」とも呼ばれ、ここがむくむと健康に悪影響を及ぼすことがある。長時間同じ姿勢で座ることで血流やリンパの流れが悪くなり、いわゆる「エコノミークラス症候群」と呼ばれる静脈血栓塞栓症を引き起こす因子となることは、よく知られている。そのため、足首の運動でむくみを改善する道具が色々と考案されている。これらはいずれも足首を動かして腓腹筋とひらめ筋の収縮によるミルキングアクション（乳搾り）と呼ばれる効果で血流やリンパ液の流れを促進させるものである。
【０００３】
円弧形状の特許文献１に開示されたものや足裏のつぼを刺激しながら運動を行う特許文献２や空気袋を利用した足置きとしては特許文献３に開示されたものがある。
【０００４】
足を利用してコンピュータの入力デバイスとしては、任天堂のバランスWiiボード等や下肢機能の訓練に遊戯的要素を付加した特許文献４等が開示されている。
【０００５】
ただ運動機能と遊戯的要素を付加したものに関しては機構が複雑で大きく、狭い機内等で利用できない問題がある。重量もあるので持ち運びにもあまり適していない。また、いずれも下肢のケア等に関してはあまり配慮されていない。
【先行技術文献】
【特許文献】
【０００６】
【特許文献１】特開２００９-１７８２８８  伸展健康具
【特許文献２】特開２０１０-５３５８  足裏揉み対応の脹脛血流改善器
【特許文献３】特開２００６-１０３４４７  空気注入式足置き
【特許文献４】特開２００７-１９００７８  下肢訓練装置
【発明の概要】
【発明が解決しようとする課題】
【０００７】
簡素で携帯性に優れ、単調になりがちな下肢の運動に遊戯的要素を付加することが可能であり、手軽で効果的な、下肢のマッサージもできる足置き台を提供する。
【課題を解決するための手段】
【０００８】
本発明は、図１に記している様に2枚の薄い板状ものを貼り合わせ開閉可能にした開閉ボード５をベースとして足を置く面には衝撃を緩和する為、少し厚みのあるクッションボード４を貼り付け、床面や足のすべりを解消する為全体がエンボス状になっている本体カバー３で外側を包み込んでいる。
開閉ボード５の素材としては、適度なしなりと強度を持ったものが好ましい。
本体カバー３の素材は合成樹脂等が好ましいが、エンボス状ではない一般的な合成樹脂や少し厚手の生地に滑り止めシート等を貼り付けたものでも良い。
ここでは、本体カバー３は外側のみを包んでいるが、内側も含め包み込んでも良い。
【０００９】
図２は各パーツをわかりやすく分解した図である。
足を置く面の中央には、歩数計やスマートフォン、携帯ゲーム機器、ゲーム用リモコン、タブレットPC及び足裏のツボを刺激する突起等を設置出来るよう粘着性のある吸着シート１が固定されている。
上記機器を固定する方法としては吸着シート１の代わりに、面ファスナーや、帯状の弾性体、紐、両端から挟み込むもの、吸盤で吸い付けるもの、形状に即したアタッチメント等を利用したものでも良い。
【００１０】
開閉ボード５の内側には、空気袋６が挟まっており、空気口７から空気を入れ、その膨らみ具合により足置きの角度は任意に変えることが可能となっている。空気袋６の代わりに一般的なクッションやタオル、衣類等を巻きつけ厚みをもたせたものでも良い。
足を載せる面の本体カバー３には左右対照に固定用バンド２が固定されている。これは伸縮性のある帯状の弾性体が好ましく、左右対照に2個固定しているのは使用する際、挟んだ空気袋６が左右にずれにくくする為である。
固定用バンド２の先端部分には、面ファスナーオス８が固定されており、本体カバー３の底面に固定されている面ファスナーメス９と接合させることで足置き台は完成する。
固定用バンド２の代わりに面ファスナーだけで構成された結束バンドや紐、帯状の弾性体からなるワッカ等を利用したものでも良い。
【００１１】
図３は、空気袋６の空気口７から空気を抜きコンパクトにした時の斜視図である。薄く軽量で持ち運びも楽であり収納しやすい形態となる。
図４の上はコンパクトにした時の側面図であり、下は使用時の側面図である。床面の面ファスナーメス９は、長さに余裕があり固定用バンド２も伸縮性があるので閉じた時でも面ファスナーオス８としっかりと接合させることができる。これにより薄くなった空気袋６も開閉ボード５でしっかり挟むことが可能である。
【００１２】
図５は足置き台を使って前後に動かす様子の側面図である。足置き台前方の底面を支点として前後に動かすことで簡単に足首の屈伸が可能である。適度な反りとクッション性があり音も静かである。
【００１３】
図６は、底面の左右両端を支点として足を左右に傾けながら運動している様子の前面図である。前後運動だけでは得られない下肢への刺激を加えられる。
前後左右複合的に動かすことでひねり効果も得られる。
【００１４】
図７は、足置き台を前後反転させて利用した時の足の前後運動の様子の側面図である。かかと側の底面を支点に実施する。足を手前に引くと反動でつま先が上がり、かかとが伸びる。
【００１５】
図８は、足置き台と座面の距離によって足首の屈伸の角度が変わることを示した図である。座面に近いほど足首の屈伸角度がきつくなることがわかる。利用する人の状況、好みに合わせ調整可能である。
【００１６】
図９は、吸着シート１に歩数計を接合させた図である。歩数計には振動計がついているので図５に記した様に前後に足を傾けると回数がカウントされる。商品によっては消費カロリー等を表示する機能もあり単調な運動に目標値を設定することでモチベーションを上げる効果が期待できる。
【００１７】
図１０は、吸着シート１にスマートフォンを接合させた図である。スマートフォンの多くは加速度センサーやジャイロセンサー等が備わっており、それらを利用したアプリは数多く作られている。多くは無料であり、歩数計だけでなくバランスゲーム等を楽しみながら運動することが可能である。上記センサー搭載の携帯ゲーム機器等を接合しても良い。
【００１８】
図１１は、吸着シート１に加速度センサーやジャイロセンサー等が内蔵されたゲーム用リモコンを接合させた図である。ボタン等を押す操作は難しいがリモコンを傾けるだけで楽しめるソフトも数多くある。この様な操作をするゲームは比較的シンプルなので年配の人でも楽しめ健康維持や機能回復効果も期待できる。
【００１９】
図１２は、吸着シート１に加速度センサーやジャイロセンサー等が内蔵されたタブレットPCを接合させた図である。あまりサイズが大きいものは足を載せるスペースが限られるので好ましくないが縦にして使用すれば問題無く使用できる機種も多い。
【００２０】
図１３はフォースセンサー等が備わったゲーム用のボードの上に足置き台を載せている図である。図５、図６に記している様に足置き台は前後左右に力を入れると適度な反りが発生し底面の圧力分布が変化する。このことでボードに立位で乗って操作する時と同様にゲームを楽しめる。椅子に座った状態なので年配者でも転倒の心配も少なく手軽にゲームを楽しみながら運動ができる。また、座位での操作となるので足の踏み込みや足首の角度を大きく動かす必要があり立位で使用する時以上に下肢への運動効果は高い。
【００２１】
図１４は形状展開例である。  吸着シート１の代わりに面ファスナーを利用しゲーム用リモコンを固定している図である。この様に歩数計及びゲーム用機器等を係止する方法は、帯状の弾性体や紐等を利用して巻きつけるもの、両端から挟み込むもの、吸盤で吸い付けるもの、機器に即したアタッチメントを利用したものでも構わない。
【００２２】
図１５は、仰向けに寝てふくらはぎのケアをしている図である。足を軽く上下に振ることで、ふくらはぎの圧迫、緩和を繰り返す。軽く振っているだけなので足の運動の様に筋力をつけることは出来ないが、マッサージ効果で血流やリンパ液の流れを促進することが可能である。クッション性があるので優しく、足を高く上げているのでより効果的である。足の運動で疲れた時や運動をするほど意欲がない時でも手軽に心地良く実施できる。就寝のときに足枕として利用することもできる。また、ふくらはぎだけでなく、足首のマッサージも可能である。
【００２３】
図１６は、腰枕として利用している図である。ストレッチ効果があり心地良く利用することができる。
【００２４】
図１７は、仰向けになり足置き台に臀部をのせ、「空中自転車こぎ」をしている図である。この運動は下肢のむくみに対して短時間でも効果が高いとされている。臀部が安定しているので楽に運動を実施することが可能であり腰への負担も少ない。
【００２５】
図１８は吸着シート１に透明の吸着シートカバー９を貼り付けた図である。吸着シート１は、ゴミやほこりが付きやすいので利用しない時には、この様にカバーを吸着させて利用する。
【００２６】
図１９は吸着シート１に、中央が開口した薄い足ツボ用シート１１を貼り付けた図である。足ツボ用シート１１には足裏のツボを刺激する足ツボ突起１２が固定されている。足裏には多数のツボがあり疲れを癒し代謝を促進させる効果がある。足ツボ用シート１１は中央が開口しているので上記の機器も吸着可能でありツボを刺激しながらゲーム等を実施することができる。
【００２７】
図２０は、形状展開例である。開閉ボード５に空気袋８を固定し一体型となっているものである。一体型なので左右にずれることがないので、固定用バンド２、面ファスナーオス７及び面ファスナーメス６は、中央に１つ固定すればよい。
【発明の効果】
【００２８】
本発明の効果を以下に記す。
１・単調になりがちな下肢の運動に歩数計や加速度センサー、ジャイロセンサー等を備えた様々な情報端末、ゲーム機器、ゲーム用リモコンを接合しゲーム的な要素を付加して楽しめる。
２・フォースセンサー等が備わったゲーム用のボードの上に設置して対応するゲームを椅子に座った状態で利用しつつ下肢の運動が可能になる。
３・薄く軽量であり携帯性、収納性に優れ旅行の移動中の座席でも利用できる。
４・下肢の代謝を促進するマッサージやツボ押し、腰のストレッチ及び安定した姿勢で「空中自転車こぎ」等の運動を行うことができる。
【図面の簡単な説明】
【００２９】
【図１】図１は足置き台を使用する状態の斜視図である。
【図２】図２は各部材をわかりやすく分解した斜視図である。
【図３】図３はコンパクトに折りたたんだ状態の斜視図である。
【図４】図４は折りたたんだ状態と使用する状態の側面図である。
【図５】図５は足置き台を使って前後に動かす様子の側面図である。
【図６】図６は底面の左右両端を支点として足を左右に傾けながら運動している様子の前面図である。
【図７】図７は足置き台を前後反転させて利用した時の足の前後運動の様子の側面図である。
【図８】図８は足置き台と座面の距離によって足首の屈伸の角度が変わることを示した側面図である。
【図９】図９は吸着シート１に歩数計を接合させた斜視図である。
【図１０】図１0は吸着シート１にスマートフォンを接合させた斜視図である。
【図１１】図１1は吸着シート１にゲーム用リモコンを接合させた斜視図である。
【図１２】図１2は吸着シート１にタブレットPCを接合させた斜視図である。
【図１３】図１3はフォースセンサーが備わったゲーム用のボードの上に足置き台を載せた斜視図である。
【図１４】図１4は吸着シート１の代わりに面ファスナーを利用してゲーム用リモコンを接合させた斜視図である。
【図１５】図15は、仰向けに寝てふくらはぎのケアをしている図である。
【図１６】図16は、仰向けに寝て腰枕として利用いている図である。
【図１７】図17は、仰向けに寝て「空中自転車こぎ」を実施している図である。
【図１８】図18は、吸着シート１が汚れない様に吸着シートカバー９を吸着させている図である。
【図１９】図19は、吸着シート２に足裏のツボを刺激する突起のついたシートを吸着させている図である。
【図２０】図20は、空気袋８を開閉ボード５に固定して一体型にしたものである。
【発明を実施するための形態】
【００３０】
本発明は、図１に記している様に2枚の薄い板状ものを貼り合わせ開閉可能にした開閉ボード５をベースとして足を置く面には衝撃を緩和する為、少し厚みのあるクッションボード４を貼り付け、床面や足のすべりを解消する為全体がエンボス状になっている本体カバー３で外側を包み込んでいる。
開閉ボード５の素材としては、適度なしなりと強度を持ったものが好ましい。
本体カバー３の素材は合成樹脂等が好ましいが、エンボス状ではない一般的な合成樹脂や少し厚手の生地に滑り止めシート等を貼り付けたものでも良い。
ここでは、本体カバー３は外側のみを包んでいるが、内側も含め包み込んでも良い。
図２は各パーツをわかりやすく分解した図である。
足を置く面の中央には、歩数計やスマートフォン、携帯ゲーム機器、ゲーム用リモコン、タブレットPC及び足裏のツボを刺激する突起等を設置出来るよう粘着性のある吸着シート１が固定されている。
上記機器を固定する方法としては吸着シート１の代わりに、面ファスナーや、帯状の弾性体、紐、両端から挟み込むもの、吸盤で吸い付けるもの、形状に即したアタッチメント等を利用したものでも良い。
【００３１】
開閉ボード５の内側には、空気袋６が挟まっており、空気口７から空気を入れ、その膨らみ具合により足置きの角度は任意に変えることが可能となっている。
空気袋６の代わりに一般的なクッションやタオル、衣類等を巻きつけ厚みをもたせたものでも良い。
足を載せる面の本体カバー３には左右対照に固定用バンド２が固定されている。これは伸縮性のある帯状の弾性体が好ましく、左右対照に2個固定しているのは使用する際、挟んだ空気袋６が左右にずれにくくする為である。
固定用バンド２の先端部分には、面ファスナーオス８が固定されており、本体カバー３の底面に固定されている面ファスナーメス９と接合させることで足置き台は完成する。
固定用バンド２の代わりに面ファスナーだけで構成された結束バンドや紐、帯状の弾性体からなるワッカ等を利用したものでも良い。
【００３２】
図３は、空気袋６の空気口７から空気を抜きコンパクトにした時の斜視図である。薄く軽量で持ち運びも楽であり収納しやすい形態となる。
図４の上はコンパクトにした時の側面図であり、下は使用時の側面図である。床面の面ファスナーメス９は、長さに余裕があり固定用バンド２も伸縮性があるので閉じた時でも面ファスナーオス８としっかりと接合させることができる。これにより薄くなった空気袋６も開閉ボード５でしっかり挟むことが可能である。
【実施例１】
【００３３】
図５に記している様に足置き台前方の底面を支点として前後に動かすことで簡単に足首の屈伸が可能である。適度な反りとクッション性があり音も静かである。
図７に記している様に足置き台を前後反転させても利用可能である。かかと側の底面を支点に実施する。足を手前に引くと反動でつま先が上がり、かかとが伸びる。
図８に記している様に足置き台と座面の距離によって足首の屈伸の角度が変わる。座面に近いほど屈伸角度がきつくなる。利用する人の状況、好みに合わせ調整可能である。
【実施例２】
【００３４】
図６に記している様に底面の左右両端を支点として足を傾けながら運動することが可能である。前後運動だけでは得られない下肢への刺激を加えられる。前後左右複合的に動かすことでひねり効果も得られる
【実施例３】
【００３５】
図９記している様に吸着シート１に歩数計を接合させる。歩数計には振動計がついているので図５に記した様に前後に足を傾けると回数がカウントされる。商品によっては消費カロリー等を表示する機能もあり単調な運動に目標値を設定し運動のモチベーションを上げる効果が期待できる。
【実施例４】
【００３６】
図１０に記している様に、吸着シート１にスマートフォンを接合させる。スマートフォンの多くは加速度センサーやジャイロセンサー等が備わっており、それらを利用したアプリは数多く作られている。多くは無料で歩数計だけでなくバランスゲーム等を運動しながら楽しめる。上記センサー搭載の携帯ゲーム機器等を接合しても良い。
【実施例５】
【００３７】
図１１に記している様に、吸着シート１に加速度センサーやジャイロセンサー等が内蔵されたゲーム用リモコンを接合させてゲームを行うことが可能である。ボタン等を押す操作は難しいがリモコンを傾けるだけで楽しめるソフトも数多くある。この様な操作をするゲームは比較的シンプルなので年配の人でも楽しめ健康維持や機能回復効果も期待できる。
【実施例６】
【００３８】
図１２に記している様に、吸着シート１に加速度センサーやジャイロセンサー等が内蔵されたタブレットPCを接合させる。あまりサイズが大きいものは足を載せるスペースが限られるので好ましくないが縦にして使用すれば問題無く使用できる機種も多い。
【実施例７】
【００３９】
図１３に記している様に、フォースセンサー等が備わったゲーム用のボードの上に足置き台を載せてゲームを行うことが可能である。図５、図６に記している様に開閉ボード５は前後左右に力を入れると適度な反りが発生し底面の圧力分布が変化する。このことでボードに立位で乗って操作する時と同様にゲームを楽しめる。椅子に座った状態なので年配者でも転倒の心配も少なく手軽にゲームを楽しみながら運動ができる。また、座位での操作となるので足の踏み込みや足首の角度を大きく動かす必要があり立位で使用する時以上に下肢への運動効果は高い。
【実施例８】
【００４０】
図１５に記している様に、仰向けに寝てふくらはぎの下に足置き台を設置し足を軽く上下に振ることで、ふくらはぎの圧迫、緩和を繰り返す。軽く振っているだけなので足の運動の様に筋力をつけることは出来ないが、マッサージ効果で血流やリンパ液の流れを促進することが可能である。クッション性があるので優しく、足を高く上げているのでより効果的である。足の運動で疲れた時や運動をするほど意欲がない時でも手軽に心地良く実施できる。就寝のときに足枕として利用することもできる。また、ふくらはぎだけでなく、足首のマッサージも可能である。
【実施例９】
【００４１】
図１６に記している様に、腰枕として利用可能である。ストレッチ効果があり心地良く利用することができる。また図１７は、仰向けになり足置き台に臀部をのせ、「空中自転車こぎ」をしている図である。この運動は下肢のむくみに対して短時間でも効果が高いとされている。臀部が安定しているので楽に運動を実施することが可能であり腰への負担も少ない。
【実施例１０】
【００４２】
図１９に記している様に、吸着シート１に中央が開口した薄い足ツボ用シート１１を貼り付ける。足ツボ用シート１１には足裏のツボを刺激する足ツボ突起１２が固定されている。足裏には多数のツボがあり疲れを癒し代謝を促進させる効果がある。足ツボ用シート１１は中央が開口しているので上記の機器も吸着可能でありツボを刺激しながらゲーム等を実施することができる。
【産業上の利用可能性】
【００４３】
本発明は、簡素な構造でありながら様々な機器と併用して利用可能であり、単調な下肢の運動もゲームをしながら実施可能である。着座して利用するので年配者でも安心して利用できる。運動不足の人や下肢機能回復にも貢献すると思われる。また、軽量コンパクトなので旅行等にもかさばらず、移動中の車内や機内でも利用しやすく「エコノミークラス症候群」の予防にもなる。加えて下肢のマッサージや腰のストレッチ等も可能である。部材も大量生産されている一般的なものであり、製造工程もシンプルなので比較的安価に提供可能であり多くの人が利用可能であると思われる。
【符号の説明】
【００４４】
１    吸着シート
２    固定用バンド
３    本体カバー
４    クッションボード
５    開閉ボード
６    空気袋
７    空気口
８    面ファスナーオス
９    面ファスナーメス
１０  吸着シートカバー
１１  足ツボ用シート
１２  足ツボ突起
【図１】
2015100491.tif 000003
【図２】
2015100491.tif 000004
【図３】
2015100491.tif 000005
【図４】
2015100491.tif 000006
【図５】
2015100491.tif 000007
【図６】
2015100491.tif 000008
【図７】
2015100491.tif 000009
【図８】
2015100491.tif 000010
【図９】
2015100491.tif 000011
【図１０】
2015100491.tif 000012
【図１１】
2015100491.tif 000013
【図１２】
2015100491.tif 000014
【図１３】
2015100491.tif 000015
【図１４】
2015100491.tif 000016
【図１５】
2015100491.tif 000017
【図１６】
2015100491.tif 000018
【図１７】
2015100491.tif 000019
【図１８】
2015100491.tif 000020
【図１９】
2015100491.tif 000021
【図２０】
2015100491.tif 000022